(57)【要約】      （修正有）【課題】組み付けし易く、構造が簡単であるゴーグルのフレーム構造体を提供する。【解決手段】硬質部分Ａと軟質部分Ｂとを有するフレーム本体３１０を備えている。前記硬質部分は剛性体であって、前記軟質部分は変形可能な弾性体であり、前記軟質部分は前記硬質部分と一体成型されている。このうち前記硬質部分および前記軟質部分が、少なくとも一枚のレンズを収容するのに充分な少なくとも一つの収容溝３２０を画成している。【選択図】図３
0003137209.tif 000002
【実用新案登録請求の範囲】
【請求項１】
剛性体である硬質部分と、
変形可能な弾性体であり、前記硬質部分と一体成型されている軟質部分と、を有するフレーム本体を備えたゴーグルのフレーム構造体であって、
前記硬質部分および前記軟質部分が、少なくとも一枚のレンズを密着して収容するのに充分な少なくとも一つの収容溝を画成していることを特徴とするゴーグルのフレーム構造体。
【請求項２】
前記硬質部分が、ポリカーボネート、アクリロニトリル−ブタジエンスチレン、ポリプロピレン、ナイロン、金属およびその組み合わせからなる群より選ばれることを特徴とする請求項１に記載のゴーグルのフレーム構造体。
【請求項３】
前記軟質部分が、熱可塑性ラバー、熱可塑性ポリウレタン、熱可塑性エラストマー、ポリウレタン、ポリ塩化ビニル、シリコーンおよびその組み合わせからなる群より選ばれることを特徴とする請求項１に記載のゴーグルのフレーム構造体。
【請求項４】
前記軟質部分および前記硬質部分が重ね成型されることを特徴とする請求項１に記載のゴーグルのフレーム構造体。
【請求項５】
前記軟質部分および前記硬質部分が複数素材射出成型されることを特徴とする請求項１に記載のゴーグルのフレーム構造体。
【請求項６】
前記フレーム本体が、
上部ブリッジ部と、
前記上部ブリッジ部の中央部分から下方に延びる鼻当て部と、
前記上部ブリッジ部および鼻当て部の一方の間に形成されている第１の側面フレームと、前記上部ブリッジ部および鼻当て部の対向する間に形成されている第２の側面フレームとを有する側面フレーム部と、を備えたことを特徴とする請求項１に記載のゴーグルのフレーム構造体。
【請求項７】
前記軟質部分が、少なくとも前記上部ブリッジ部、鼻当て部および側面フレーム部のうちの一つを含むことを特徴とする請求項６に記載のゴーグルのフレーム構造体。
【請求項８】
前記軟質部分が前記上部ブリッジ部を含み、前記硬質部分が前記側面フレーム部を含み、前記フレーム本体には前記上部ブリッジ部と前記第１の側面フレームとの間に形成された第１の切欠きと、前記上部ブリッジ部と前記第２の側面フレームとの間に形成された第２の切欠きとが設けられていることを特徴とする請求項７に記載のゴーグルのフレーム構造体。
【請求項９】
前記軟質部分が前記側面フレーム部を含み、前記硬質部分が前記上部ブリッジ部を含み、前記フレーム本体には前記上部ブリッジ部と前記第１の側面フレームとの間に形成された第１の切欠きと、前記上部ブリッジ部と前記第２の側面フレームとの間に形成された第２の切欠きとが設けられていることを特徴とする請求項７に記載のゴーグルのフレーム構造体。
【請求項１０】
前記フレーム本体に前記少なくとも一枚のレンズを装着した後、前記第１の切欠きおよび第２の切欠きをそれぞれ係合するための第１の接合部材と第２の接合部材とを更に備えたことを特徴とする請求項８に記載のゴーグルのフレーム構造体。
【請求項１１】
前記フレーム本体に前記少なくとも一枚のレンズを装着した後、前記第１の切欠きおよび第２の切欠きをそれぞれ係合するための第１の接合部材と第２の接合部材とを更に備えたことを特徴とする請求項９に記載のゴーグルのフレーム構造体。
【請求項１２】
前記硬質部分および前記軟質部分が、単面レンズを収容するのに充分な一つの収容溝を画成していることを特徴とする請求項１に記載のゴーグルのフレーム構造体。
【請求項１３】
前記硬質部分および前記軟質部分が、三面レンズをそれぞれ収容するのに充分な一つの収容溝を画成していることを特徴とする請求項１に記載のゴーグルのフレーム構造体。
【請求項１４】
前記硬質部分および前記軟質部分が、二面レンズをそれぞれ収容するのに充分な二つの収容溝を画成していることを特徴とする請求項１に記載のゴーグルのフレーム構造体。
【請求項１５】
前記硬質部分および前記軟質部分が、四面レンズをそれぞれ収容するのに充分な二つの収容溝を画成していることを特徴とする請求項１に記載のゴーグルのフレーム構造体。
【請求項１６】
剛性体である硬質部分と、
変形可能な弾性体であり、前記硬質部分に結合されている軟質部分と、を有するフレーム本体を備えた水泳ゴーグルのフレーム構造体であって、
前記硬質部分および前記軟質部分が、少なくとも一枚のレンズを密着して収容するのに充分な少なくとも一つの収容溝を画成していることを特徴とする水泳ゴーグルに用いられるフレーム構造体。
【請求項１７】
前記硬質部分および前記軟質部分が一体成型されていることを特徴とする請求項１６に記載のゴーグルのフレーム構造体。
【請求項１８】
前記フレーム本体が、前記軟質部分を前記硬質部分に結合する結合部材を更に備えたことを特徴とする請求項１６に記載のゴーグルのフレーム構造体。
【請求項１９】
前記結合部材が突起と溝とを備えたことを特徴とする請求項１８に記載のゴーグルのフレーム構造体。
【請求項２０】
前記軟質部分は接着方式で前記硬質部分に結合されることを特徴とする請求項１６に記載のゴーグルのフレーム構造体。
【考案の詳細な説明】
【技術分野】
【０００１】
本考案はゴーグルのフレーム構造体に関し、特に水泳用ゴーグルのフレーム構造体に関する。
【背景技術】
【０００２】
ダイビング、スキー等の活動に応用される従来のゴーグルは、使用者に適切なシールドおよび保護機能を提供している。とりわけダイビングマスクに応用されるゴーグルにおいては、水圧の高い深い水中環境において優れた防水機能を提供しなければならない。したがって、ダイビング用ゴーグルにおける各部品は、そのシールドおよび保護機能を充分に発揮するためにも密着接合されなければならない。逆に、もし各部品の間が完全に密着して組み立てられていない場合、部品の結合部分に隙間が生じて、使用者が水中にいるときに水が浸入する危険が生じてしまう。
【０００３】
現在における従来技術のダイビング用ゴーグルを例にとると、いくつかの主な部品から構成されている。詳細は、図１Ａおよび図１Ｂを参照されたい。従来のダイビング用ゴーグルはマスク１０と、フレーム構造体２０との組み合わせでなる。このうち、フレーム構造体２０は主にフレーム上部２２と、フレーム下部２４と、複数の接合部材２６とを備えている。フレーム上部２２およびフレーム下部２４は各々独立した部品であって、複数の接合部材２６により、それぞれフレーム上部２２およびフレーム下部２４における複数の接合点を跨るように接続して、フレーム上部２２およびフレーム下部２４で完全なフレームとして組み合わせるとともに、それぞれレンズを収容する二つの収容溝を形成している。
【０００４】
従来のフレーム構造体２０がフレーム全体を独立した二つのフレーム上部２２およびフレーム下部２４に分けているのは、レンズを組み付ける際の利便性を考慮しているからである。従来のフレーム上部２２およびフレーム下部２４は硬質材料により製作されているため、その組み付け後に形成されるフレームは変形しにくい剛性体構造となり、この剛性体構造ではレンズをフレームの溝内に組み付けるのには向かない。この問題を解決するために、従来のダイビング用ゴーグルにおけるフレーム構造体２０ではフレームを独立した二つのフレーム上部２２およびフレーム下部２４として設計するとともに、フレーム上部２２およびフレーム下部２４の二つの対向する端の接合部に二つの切欠きを形成することで、フレーム自身の弾性を高めて、レンズをフレームの溝中に組み付けやすくして、最後に接合部材２６により切欠きの間を跨ぐように接続して、完全なフレームとして組み立てている。
【考案の開示】
【考案が解決しようとする課題】
【０００５】
このような組立式のフレーム構造体２０ではレンズを組付けしやすくなるが、その組み付け後の密着度は良好ではない。例えばフレーム上部２２およびフレーム下部２４の中段部における鼻当て部２８（図１における破線で示す部分）の接合点付近は密着度が低いため隙間２９が生じて、ひいては水圧の高い深い水中環境では隙間２９から水が浸入する危険が生じやすい。これに鑑みて、従来の組立式のフレーム構造体２０の組み付け密着度を強化するために、従来技術におけるフレーム上部２２およびフレーム下部２４中段部の鼻当て部２８に固定部３０と、前記固定部３０に螺着する例えばねじといった螺着手段３２とを付加して、フレームの接合点での組み付け密着度を高めている。ただし、この種の固定部３０による組立式のフレーム構造体２０は製造工程が煩雑になるばかりでなく、しかも組み付け部品の点数が多くなり、コストが嵩み、そして使用者の使用時において遺失しやすくなる。したがって、組付けが容易で、構造が簡単であり、防水性に優れる等の長所を備えたゴーグルのフレーム構造体を新たに設計する必要がある。
【課題を解決するための手段】
【０００６】
本考案の目的は、使用者に適切な防護機能を提供する他に、組み付けしやすく、構造が簡単である等の長所を備えた、ゴーグルに応用されるフレーム構造体を提供するところにある。
【０００７】
上記目的に基づいて、本考案のフレーム構造体は、硬質部分と軟質部分とを有するフレーム本体を備えている。前記硬質部分は剛性体であって、前記軟質部分は変形可能な弾性体であり、前記軟質部分は前記硬質部分と一体成型、またはその他接合方式で前記硬質部分に結合されている。このうち前記硬質部分および前記軟質部分が、少なくとも一枚のレンズを収容するのに充分な少なくとも一つの収容溝を画成している。
【考案を実施するための最良の形態】
【０００８】
本考案の上記目的、技術的特徴、および長所をより理解しやすくするために、下記において好ましい実施例に図面を合わせて詳細な説明を行う。
【０００９】
下記する内容は、ゴーグルに応用されるフレーム構造体に関するものであり、特に水泳、ダイビング用ゴーグルに応用されるフレーム構造体である。しかし、本考案で開示するゴーグルのフレーム構造体はダイビング活動への応用のみに限定するものではなく、当業者であれば、本考案の技術的思想および原理を理解した後、適切な変更または付加を施すことが可能であることは理解できる。したがって、これら変更はいずれも本考案で記載する実用新案登録請求の範囲内に含まれる。
【００１０】
図２Ａおよび図２Ｂを参照されたい。図中に示すものは本考案を応用したダイビング用ゴーグルの一実施例であり、本実施例におけるダイビング用ゴーグル１００はダイビングマスク２００と、フレーム構造体３００と、二枚のレンズ４００とを備えている。具体的には、フレーム構造体３００は、上部ブリッジ部３１１と、鼻当て部３１２と、側面フレーム部３１３とを有するフレーム本体３１０を備えている。このうち前記鼻当て部３１２は上部ブリッジ部３１１の中央部分から下方に延びており、側面フレーム部３１３は第１の側面フレーム３１３１と第２の側面フレーム３１３２とを有している。前記第１の側面フレーム３１３１は上部ブリッジ部３１１および鼻当て部３１２の一方の間に形成されており、第２の側面フレーム３１３２は上部ブリッジ部３１１および鼻当て部３１２の対向する間に形成されている。
【００１１】
図３を併せて参照されたい。図中に示すものは本考案の一実施例におけるフレーム構造体３００のフレーム本体３１０である。組成材料としては、本考案のフレーム本体３１０の特徴の一つが、フレーム本体３１０は硬質部分Ａと軟質部分Ｂとを備え、このうち硬質部分Ａは剛性体であり、軟質部分Ｂは変形可能な弾性体であるところにある。好ましい実施態様においては、前記硬質部分Ａはポリカーボネート（Ｐｏｌｙｃａｒｂｏｎａｔｅ、ＰＣ）、アクリロニトリル−ブタジエンスチレン（ＡＢＳ）、ポリプロピレン（Ｐｏｌｙｐｒｏｐｙｌｅｎｅ、ＰＰ）、ナイロン、金属およびその組み合わせからなる群より選ばれる。また、前記軟質部分Ｂは熱可塑性ラバー（Ｔｈｅｒｍｏｐｌａｓｔｉｃ  Ｒｕｂｂｅｒ、ＴＰＲ）、熱可塑性ポリウレタン（Ｔｈｅｒｍｏｐｌａｓｔｉｃ  Ｐｏｌｙｕｒｅｔｈａｎｅ、ＴＰＵ）、熱可塑性エラストマー（Ｔｈｅｒｍｏｐｌａｓｔｉｃ  Ｅｌａｓｔｏｍｅｒ、ＴＰＥ）、ポリウレタン（Ｐｏｌｙｕｒｅｔｈａｎｅ、ＰＵ）、ポリ塩化ビニル（Ｐｏｌｙｖｉｎｙｌ  ｃｈｌｏｒｉｄｅ、ＰＶＣ）、シリコーン（Ｓｉｌｉｃｏｎｅ）およびその組み合わせからなる群より選ばれる。
【００１２】
説明すべきは、独立した二つのフレーム上部およびフレーム下部を有する従来の組立式フレーム構造とは異なり、本考案のフレーム構造体３００における硬質部分Ａおよび軟質部分Ｂは一体成型されることで、硬質部分Ａおよび軟質部分Ｂの両者に隙間がないように保つとともに、二枚のレンズ４００をそれぞれ密封または隙間がないように収容するに充分な収容溝３２０を共同で画成していることである。また、この一体成型された硬質部分Ａおよび軟質部分Ｂは重ね成型（Ｏｖｅｒｍｏｌｄｉｎｇ）または複数素材射出成型（Ｍｕｌｔｉ−Ｍａｔｅｒｉａｌ  Ｉｎｊｅｃｔｉｏｎ  Ｍｏｌｄｉｎｇ）の方式で、硬質部分Ａおよび軟質部分Ｂを数回に分けて金型内で形成され、しかも硬質部分Ａと軟質部分Ｂとの間が密着接合される。
【００１３】
上記によれば、本考案のフレーム本体３１０は一体成型の構造を有するため、従来の組立式フレーム構造において深い水中環境で水が浸入する危険が生じることを防止することができる。また一方では、本考案のフレーム本体３１０は一部が剛性の硬質部分Ａと一部が変形可能な軟質部分Ｂを有しているので、本考案のフレーム本体３１０は一部で剛性体の強度を備える一方で、一部で弾性体の可塑性を備えている。よって、レンズ４００を本考案のフレーム構造体３００に装着するに際しては、使用者は、フレーム本体３１０が画成している収容溝３２０内に簡単にレンズ４００を装着することができるので、従来のフレームのようにフレーム本体に切欠きを設ける必要はなくなる。
【００１４】
また、その他実施態様においては、本考案のフレーム本体３１０の軟質部分Ｂはその他接合方式で硬質部分Ａに結合しても良い。例示して説明すると、フレーム本体３１０は、前記軟質部分を前記硬質部分に結合するための結合部材（図示せず）を別途備えている。このうち、前記結合部材は、硬質部分Ａと軟質部分Ｂのうちの一方にそれぞれ設けられている突起と溝とを有することができ、そして突起と溝との組み付けにより、都合良く軟質部分Ｂが硬質部分Ａに密接して結合されるとともに、硬質部分Ａおよび軟質部分Ｂが画成している少なくとも一つの収容溝が、少なくとも一枚のレンズを密着して収容するのに充分となっている。これにより本考案を応用したゴーグルは深い水中環境で用いられるに適し、そして水が浸入する危険には至らない。また、本考案の軟質部分Ｂは接着剤による接着方式で硬質部分Ａに結合しても良い。
【００１５】
上記した本考案のゴーグルのフレーム構造体は複数の実施態様のうちの一つであって、当業者であれば、上記した内容を理解した後、適切な変更または付加を施すことができる。下記する複数の実施例は本考案の実際の応用の変化を例示して説明するものであり、決して本考案を限定するためのものではない。
【００１６】
図４Ａないし図４Ｃを参照されたい。図中に示すものは本考案のフレーム本体３１０の組成材料における幾種類かの変更である。具体的には、本考案のフレーム本体３１０は実際のフレーム本体３１０全体の剛性と弾性度のニーズに応じて、フレーム本体３１０の上部ブリッジ部３１１、鼻当て部３１２および側面フレーム部３１３のうちの一つに軟質部分Ｂを使用し、フレーム本体３１０における残り部分に硬質部分Ａを組み合わせている。または、図４Ｄないし図４Ｆを参照されたい。上部ブリッジ部３１１、鼻当て部３１２および側面フレーム部３１３のうちの二つに軟質部分Ｂを用いて、残り部分に硬質部分Ａを組み合わせる等、またはその他類似した変化は、いずれも本考案における幾種類の可能な実施態様である。とりわけ、ダイビング用ゴーグルの全体的な外形に合わせて、軟質部分Ｂと硬質部分Ａの材料を適切に調整して、フレーム本体３１０に美的外観および多様化を兼備した外形とすることができる。
【００１７】
また、本考案のフレーム本体３１０の適宜の部位に切欠きを設けて、本考案のフレーム本体３１０の弾性度を更に高めても良い。例示して説明すると、フレーム本体３１０の上部ブリッジ部３１１、鼻当て部３１２および側面フレーム部３１３のうちの一つに軟質部分Ｂを用いて、しかも軟質部分Ｂが上部ブリッジ部３１１を含み、硬質部分Ａが鼻当て部３１２および側面フレーム部３１３を含む場合、図５Ａに示すように、フレーム本体３１０は上部ブリッジ部３１１と第１の側面フレーム３１３１との間に第１の切欠き３３０を設けるとともに、上部ブリッジ部３１１と第２の側面フレーム３１３２との間に第２の切欠き３３２を設けることができる。そして、軟質部分Ｂが側面フレーム部３１３を含み、硬質部分Ａが上部ブリッジ部３１１および鼻当て部３１２を含む場合、図５Ｂに示すように、フレーム本体３１０は上部ブリッジ部３１１と第１の側面フレーム３１３１との間に第１の切欠き３３０を設けるととともに、上部ブリッジ部３１１と第２の側面フレーム３１３２との間に第２の切欠き３３２を設けることができる。
【００１８】
そして、もしフレーム本体３１０の上部ブリッジ部３１１、鼻当て部３１２および側面フレーム部３１３のうちの二つに軟質部分Ｂを用いて、しかも軟質部分Ｂが上部ブリッジ部３１１および鼻当て部３１２の一部を含み、硬質部分Ａが側面フレーム部３１３および鼻当て部３１２の一部を含む場合、図５Ｃに示すように、フレーム本体３１０は上部ブリッジ部３１１と第１の側面フレーム３１３１との間に第１の切欠き３３０を設けるとともに、上部ブリッジ部３１１と第２の側面フレーム３１３２との間に第２の切欠き３３２を設けることができる。そして、もし軟質部分Ｂが側面フレーム部３１３および鼻当て部３１２を含み、硬質部分Ａが上部ブリッジ部３１１および鼻当て部３１２の一部を含む場合、図５Ｄに示すように、フレーム本体３１０は上部ブリッジ部３１１と第１の側面フレーム３１３１との間に第１の切欠き３３０を設けるとともに、上部ブリッジ部３１１と第２の側面フレーム３１３２との間に第２の切欠き３３２を設けることができる。
【００１９】
上記を受けて、図５Ａないし図５Ｄに示すように、フレーム本体３１０に第１の切欠き３３０および第２の切欠き３３２が設けられている実施態様において、本考案のフレーム構造体３００は、フレーム本体３１０にレンズ４００を装着した後、第１の切欠き３３０および第２の切欠き３３２をそれぞれ係合するための第１の接合部材３４０と第２の接合部材３４２とを備えている。好ましい実施例において、第１の接合部材３４０および第２の接合部材３４２は、図６Ａ、図６Ｂに示すように、ダイビング用ゴーグルの外形設計に合わせることができる装飾用の表面を有している。
【００２０】
説明すべきは、前記実施態様におけるゴーグルのフレーム構造体のフレーム本体には複数の切欠きが設けられているものの、本考案のフレーム本体はこれが故に従来の組立式フレーム構造のような水が浸入するといった問題が生じることはないということである。それは主に、本考案のゴーグルのフレーム構造体は一体成型またはその他適切な方式で組み付けまたは接着されているからであって、本考案のフレーム本体の鼻当て部には隙間がないことから、これにより従来の組立式フレーム構造にて生じる水が浸入する問題を克服している。とりわけ本考案のフレーム本体の鼻当て部においては、図１Ｂに示すような従来の固定部３０および螺着手段３２を別途設ける必要はなく、よってゴーグルの部品点数を減らして、部品の遺失で使用できなくなるという不測の事態をなくし、コストを削減する目的をも達成できる。
【００２１】
また、前記した本考案は二面のレンズを有するゴーグルのフレーム構造体は本考案における複数の実施例のうちの一つであって、決して本考案を限定するためのものではなく、当業者であれば、前記内容を理解した後に容易に変更を施すことができる。言うなれば、本考案のゴーグルのフレーム構造体における硬質部分Ａおよび軟質部分Ｂは、少なくとも一枚のレンズを収容するための少なくとも一つの収容溝を共同で画成することができる。
【００２２】
例示して説明すると、本考案のゴーグルのフレーム構造体は、実際に装着されるレンズの数に応じて、単面レンズ型ゴーグルのフレーム構造体、二面レンズ型ゴーグルのフレーム構造体、三面レンズ型ゴーグルのフレーム構造体および四面レンズ型ゴーグルのフレーム構造体を設計することができる。図７Ａに示す本考案のゴーグルのフレーム構造体は単面レンズ型のフレーム構造体３００であって、硬質部分Ａおよび軟質部分Ｂが、単面レンズ４００を収容するための収容溝３２０を共同で画成している。図７Ｂに示す本考案のゴーグルのフレーム構造体は三面レンズ型のフレーム構造体３００であって、硬質部分Ａおよび軟質部分Ｂが、二面のサイドレンズを含む三面レンズ４００をそれぞれ収容するための収容溝３２０を共同で画成している。図７Ｃに示す本考案のゴーグルのフレーム構造体は四面レンズ型のフレーム構造体３００であって、硬質部分Ａおよび軟質部分Ｂが、二面のサイドレンズを含む四面レンズ４００を収容するための収容溝３２０を共同で画成している。このうち、図７Ａないし図７Ｃの示す単面レンズ型、三面レンズ型および四面レンズ型のゴーグルのフレーム構造体は、いずれも前記した二面レンズ型のゴーグルのフレーム構造体と同じ技術的特徴を備えているので、ここでは説明を省略する。
【００２３】
上記した実施例は単に本考案の実施態様を例示して、本考案の技術的特徴を説明するためのものであって、決して本考案の範囲を限定するためのものではない。当業者が容易に完成させた変更または均等なアレンジはいずれも本考案が主張する範囲に含まれるものであり、本考案の権利範囲は実用新案登録請求の範囲を基準とすべきである。
【図面の簡単な説明】
【００２４】
【図１Ａ】従来のダイビング用ゴーグルの概略図である。
【図１Ｂ】従来のダイビング用ゴーグルの概略図である。
【図２Ａ】本考案を応用した一実施例におけるダイビング用ゴーグルの概略図である。
【図２Ｂ】本考案を応用した一実施例におけるダイビング用ゴーグルの概略図である。
【図３】本考案の実施例におけるフレーム本体の概略図である。
【図４Ａ】本考案の複数の実施例におけるフレーム本体の組成材料の変更を示す概略図である。
【図４Ｂ】本考案の複数の実施例におけるフレーム本体の組成材料の変更を示す概略図である。
【図４Ｃ】本考案の複数の実施例におけるフレーム本体の組成材料の変更を示す概略図である。
【図４Ｄ】本考案の複数の実施例におけるフレーム本体の組成材料の変更を示す概略図である。
【図４Ｅ】本考案の複数の実施例におけるフレーム本体の組成材料の変更を示す概略図である。
【図４Ｆ】本考案の複数の実施例におけるフレーム本体の組成材料の変更を示す概略図である。
【図５Ａ】本考案の複数の実施例における切欠きを有するフレーム本体の概略図である。
【図５Ｂ】本考案の複数の実施例における切欠きを有するフレーム本体の概略図である。
【図５Ｃ】本考案の複数の実施例における切欠きを有するフレーム本体の概略図である。
【図５Ｄ】本考案の複数の実施例における切欠きを有するフレーム本体の概略図である。
【図６Ａ】本考案の複数の実施例における装飾用接合部材を有するフレーム本体の概略図である。
【図６Ｂ】本考案の複数の実施例における装飾用接合部材を有するフレーム本体の概略図である。
【図７Ａ】本考案の単面レンズ型、三面レンズ型および四面レンズ型のゴーグルのフレーム構造体の概略図である。
【図７Ｂ】本考案の単面レンズ型、三面レンズ型および四面レンズ型のゴーグルのフレーム構造体の概略図である。
【図７Ｃ】本考案の単面レンズ型、三面レンズ型および四面レンズ型のゴーグルのフレーム構造体の概略図である。
【符号の説明】
【００２５】
Ａ  硬質部分
Ｂ  軟質部分
１０  ダイビングマスク
２０  フレーム構造体
２２  フレーム上部
２４  フレーム下部
２６  接合部材
２８  鼻当て部
２９  隙間
３０  固定部
３２  螺着手段
１００  ダイビング用ゴーグル
２００  ダイビングマスク
３００  フレーム構造体
３１０  フレーム本体
３１１  上部ブリッジ部
３１２  鼻当て部
３１３  側面フレーム部
３１３１  第１の側面フレーム
３１３２  第２の側面フレーム
３２０  収容溝
３３０  第１の切欠き
３３２  第２の切欠き
３４０  第１の接合部材
３４２  第２の接合部材
４００  レンズ
【図１Ａ】
0003137209.tif 000003
【図１Ｂ】
0003137209.tif 000004
【図２Ａ】
0003137209.tif 000005
【図２Ｂ】
0003137209.tif 000006
【図３】
0003137209.tif 000007
【図４Ａ】
0003137209.tif 000008
【図４Ｂ】
0003137209.tif 000009
【図４Ｃ】
0003137209.tif 000010
【図４Ｄ】
0003137209.tif 000011
【図４Ｅ】
0003137209.tif 000012
【図４Ｆ】
0003137209.tif 000013
【図５Ａ】
0003137209.tif 000014
【図５Ｂ】
0003137209.tif 000015
【図５Ｃ】
0003137209.tif 000016
【図５Ｄ】
0003137209.tif 000017
【図６Ａ】
0003137209.tif 000018
【図６Ｂ】
0003137209.tif 000019
【図７Ａ】
0003137209.tif 000020
【図７Ｂ】
0003137209.tif 000021
【図７Ｃ】
0003137209.tif 000022